(57)【特許請求の範囲】
【請求項１】
出力圧力を設定制御圧力に無段階で調整する電空レギュレータにおいて、
押下式の第１及び第２操作キーと、
２色で発光可能な第１及び第２表示ランプと、
前記第１及び第２操作キーの操作内容に応じて、発光色と点滅周期の長さ、連続点灯の有無により前記第１及び第２表示ランプの表示パターンを制御し、前記表示パターンの組合せにより前記電空レギュレータの動作状態を通知する制御手段と、
を有することを特徴とする電空レギュレータ。
【請求項２】
請求項１に記載する電空レギュレータにおいて、
応答時間が異なる応答時間設定パターンを記憶する記憶手段を有し、
前記制御手段は、前記第１及び前記第２操作キーにより選択された前記応答時間設定パターンに応じて前記第１及び前記第２表示ランプの表示パターンを変更し、確定された前記応答時間設定パターンに応じて応答時間を変更する
ことを特徴とする電空レギュレータ。
【請求項３】
請求項１又は請求項２に記載する電空レギュレータにおいて、
出力圧力を検出する圧力検出手段と、
表示機能を有する外部装置に接続され、前記圧力検出手段が検出した圧力検出値を前記外部装置に送信するコネクタとを備え、
前記動作状態が、前記外部装置に表示された前記圧力検出値を見ながら、前記第１又は前記第２操作キーを操作して設定されるゼロ点又はスパン点の調整である
ことを特徴とする電空レギュレータ。
【請求項４】
請求項１乃至請求項３の何れか１つに記載する電空レギュレータにおいて、
前記第１及び前記第２操作キーと前記第１及び前記第２表示ランプを上面に設けている
ことを特徴とする電空レギュレータ。
【発明の詳細な説明】
【技術分野】
【０００１】
本発明は、出力圧力を設定制御圧力に無段階で制御する電空レギュレータに関する。
【背景技術】
【０００２】
電空レギュレータは、出力ポートから出力する流体の出力圧力を設定制御圧力に無段階で調整するものである。電空レギュレータは、ディスペンサの吐出量を圧力により制御する装置や、はんだ印刷機のスキージの押し圧やスクラバのブラシ押し圧を圧力により制御する装置や、ボンダやマウンタなどの部品の押し圧を圧力により制御する装置など、様々な装置に使用される。電空レギュレータには、様々な装置に対応させたり、圧力制御精度を維持するための機能が備えられている。
【０００３】
例えば、第１従来例の電空レギュレータは、ケースの前面上部に７セグメントＬＥＤ液晶表示部が設けられ、その７セグメントＬＥＤ液晶表示部の下に、セットキーとＳＨＩＦＴキーと選択キーの３つの押下式の操作キーが設けられている。かかる電空レギュレータは、シフトキーと選択キーにより機能を選択した後、シフトキーと選択キーにより設定制御圧力等の各種設定を行い、その後、セットキーにより設定内容を確定させる（例えば特許文献１参照）。
【０００４】
また例えば、第２従来例の電空レギュレータは、デジタル表示部を備えず、前面上部に２個の可変抵抗を設けている。かかる電空レギュレータは、電空レギュレータに通信可能に接続される外部装置に出力圧力等を表示させ、外部装置の表示を見ながら可変抵抗をドライバで回すことにより、設定制御圧力等の各種設定が行われる。
【先行技術文献】
【特許文献】
【０００５】
【特許文献１】特開２００６−１５５０５８号公報（例えば、段落００１３、００２４〜００３１、図１、図６等参照）
【発明の概要】
【発明が解決しようとする課題】
【０００６】
しかしながら、近年、電空レギュレータの小型化が進み、第１従来例の電空レギュレータは、３つの操作キーの間隔が狭く、操作しにくかった。また、第１従来例の電空レギュレータは、７セグメントＬＥＤ液晶表示部により詳細な情報をユーザに提供できるものの、コストが高くなってしまっていた。
【０００７】
一方、第２従来例の電空レギュレータは、デジタル表示部を備えないため、第１従来例のものより安価であるが、ドライバで可変抵抗を回して各種設定を行わなければならず、手間であった。
【０００８】
本発明は、上記問題点を解決するためになされたものであり、動作や機能が設定しやすく、安価な電空レギュレータを提供することを目的とする。
【課題を解決するための手段】
【０００９】
本発明の一態様は、次のような構成を有している。
（１）出力圧力を設定制御圧力に無段階で調整する電空レギュレータにおいて、押下式の第１及び第２操作キーと、２色で発光可能な第１及び第２表示ランプと、前記第１及び第２操作キーの操作内容に応じて、発光色と点滅周期の長さ、連続点灯の有無により前記第１及び第２表示ランプの表示パターンを制御し、前記表示パターンの組合せにより前記電空レギュレータの動作状態を通知する制御手段と、を有することを特徴とする。
【００１０】
ここで、操作内容には、第１及び第２操作キーの押下、非押下、押下する時間、片方又は両方の押下、押下する順序が含まれる。
また、動作状態には、通常動作、初期設定動作と、調圧動作と、機能設定動作が含まれる。そして、機能設定動作で設定される機能には、ゼロ点やスパン点の調整や、応答時間の選択等の種々の機能が含まれる。
【００１２】
（２）（１）に記載の構成において、好ましくは、応答時間が異なる応答時間設定パターンを記憶する記憶手段を有し、前記制御手段は、前記第１及び前記第２操作キーにより選択された前記応答時間設定パターンに応じて前記第１及び前記第２表示ランプの表示パターンを変更し、確定された前記応答時間設定パターンに応じて応答時間を変更する。
【００１３】
（３）（１）又は（２）に記載の構成において、好ましくは、出力圧力を検出する圧力検出手段と、表示機能を有する外部装置に接続され、前記圧力検出手段が検出した圧力検出値を前記外部装置に送信するコネクタとを備え、前記動作状態が、前記外部装置に表示された前記圧力検出値を見ながら、前記第１又は前記第２操作キーを操作して設定されるゼロ点又はスパン点の調整である。
【００１４】
（４）（１）乃至（３）の何れか１つに記載の構成において、好ましくは、前記第１及び前記第２操作キーと前記第１及び前記第２表示ランプを上面に設けている。
【発明の効果】
【００１５】
上記電空レギュレータは、操作キーが第１及び第２操作キーの２つなので、第１及び第２操作キーの間隔が広い。そのため、ユーザは、第１及び第２操作キーを指で押しやすく、動作や機能を設定しやすい。そして、上記電空レギュレータは、制御手段が、第１及び第２操作キーの操作内容に応じて、第１及び第２表示ランプの表示パターンを制御し、その表示パターンの組合せにより電空レギュレータの動作を通知するので、安価な表示ランプの表示パターンで電空レギュレータの複雑な動作状態をユーザに知らせることが可能である。よって、上記電空レギュレータによれば、操作や機能が設定しやすく、安価にできる。
【００１６】
また、上記電空レギュレータは、７セグメントＬＥＤより安価な２色で発光可能な第１及び第２表示ランプを使用している。この第１及び第２表示ランプの表示パターンを発光色や点滅周期の長さ、連続点灯の有無により変え、それらの表示パターンを組み合わせることで多数の動作状態を通知する。よって、上記電空レギュレータによれば、多数の動作状態を安価な第１及び第２表示ランプだけで区別可能に表示することができる。
【００１７】
また、上記電空レギュレータは、応答時間が異なる応答時間設定パターンを記憶手段に記憶している。制御手段が、第１及び第２操作キーにより選択された応答時間設定パターンに応じて第１及び第２表示ランプの表示パターンを変更するので、ユーザは第１及び第２表示ランプの表示パターンからどの応答時間設定パターンを選択しているか認識できる。そして、電空レギュレータは、確定された応答時間設定パターンに応じて応答時間を変更するので、外部要因に合わせて応答時間を任意に設定できる。よって、上記電空レギュレータによれば、出力圧力を設定制御圧力に精度良く調整することができる。
【００１８】
また、上記電空レギュレータは、圧力検出手段が検出した圧力検出値をコネクタを介して外部装置に送信し、外部装置に圧力検出値を表示させる。ユーザは外部装置に表示される圧力検出値を見ながら第１及び第２操作キーを操作すれば、ゼロ点又はスパン点を変動させることが可能である。よって、上記電空レギュレータによれば、経年劣化しても、ゼロ点又はスパン点を補正することで、出力圧力の調整精度を維持することができる。
【００１９】
また、上記電空レギュレータは、第１及び第２操作キーと第１及び第２表示ランプを上面に設けているので、集積度の高い装置に組み付けられた場合でも、第１及び第２表示ランプの表示パターンを確認しながら第１及び第２操作キーを操作しやすい。
【図面の簡単な説明】
【００２０】
【図１】本発明の実施形態に係る電空レギュレータの上面図である。
【図２】図１のＡＡ断面図である。
【図３】図１のＢＢ断面図である。
【図４】図１に示す電空レギュレータのキー操作及び表示動作の説明図である。
【発明を実施するための形態】
【００２１】
以下に、本発明に係る電空レギュレータの実施形態について図面に基づいて説明する。図１は、本発明の実施形態に係る電空レギュレータ１の上面図である。図２は、図１のＡＡ断面図である。図３は、図１のＢＢ断面図である。図４は、図１に示す電空レギュレータ１のキー操作及び表示動作の説明図である。以下では、電空レギュレータ１の外観構成を説明した後、電空レギュレータ１の内部構成を説明し、その後、電空レギュレータ１の作用効果を説明する。
【００２２】
図１〜図３に示すように、電空レギュレータ１は、直方体形状のケース２を備える。図１に示すように、ケース２の上面には、表示機能を備える外部装置（パソコン、圧力表示装置等）に接続し、電源電圧や入力信号や出力信号を送受信するコネクタ３と、押下式の第１及び第２操作キー４，５と、複数の表示パターンで点灯可能な第１及び第２表示ランプ６，７が設けられている。本実施形態では、第１及び第２表示ランプ６，７は、緑色と赤色に発光する２色ＬＥＤでそれぞれ構成されている。
【００２３】
図２及び図３に示すように、ケース２は、一次側ポート１１（図２参照）と、二次側ポート１２（図２参照）と、排気ポート１３（図３参照）が側面に開口している。図２及び図３に示すように、ケース２は、一次側ポート１１と二次側ポート１２と排気ポート１３の連通状態を切り替えることにより一次側ポート１１に供給された流体の圧力を制御するブースタ１４を内蔵している。
【００２４】
ブースタ１４は、一次側ポート１１と二次側ポート１２の連通状態を制御する給気側弁部１５と、一次側ポート１１と排気ポート１３の連通状態を制御する排気側弁部１６を備える。給気側弁部１５は、弁体１７が圧縮ばね１８により弁座１９側に向かって常時付勢されている。一方、排気側弁部１６は、弁体２０が圧縮ばね２１により弁座２２側に向かって常時付勢されている。駆動軸２３は、パイロット室２４とフィードバック室２５を気密に区画するダイアフラム２６に連結している。ダイアフラム２６は、パイロット室２４とフィードバック室２５の差圧により変位し、駆動軸２３を上下動させる。
【００２５】
駆動軸２３は、弁体２０に摺動可能に貫き通され、ダイアグラム２６が下向きに変位すると、下端部が圧縮ばね１８に抗して弁体１７を押し下げる。この場合に、一次側ポート１１と二次側ポート１２が連通して、一次側ポート１１に供給された流体が二次側ポート１２に流れ、出力圧力が上昇する。一方、駆動軸２３は、ダイアフラム２６が上向きに変位すると、規制板２７を介して弁体２０を圧縮ばね２１に抗して引き上げる。この場合に、一次側ポート１１と排気ポート１３が連通し、二次側ポート１２に流れる流体の一部を排気し、出力圧力を低下させる。
【００２６】
図２に示すように、フィードバック室２５は、通路２８を介して二次側ポート１２に連通し、出力圧力と同圧にされる。二次側ポート１２は、図示しない通路を介して、圧力センサ（圧力検出手段の一例）２９にも連通している。
【００２７】
パイロット室２４は、パイロット圧制御回路３０によりパイロット圧力を制御される。パイロット圧制御回路３０は、給気側電磁弁３１と排気側電磁弁３２がパイロット室２４に連通しており、給気側電磁弁３１を弁開させるとパイロット圧力が上昇し、排気側電磁弁３２を弁開させるとパイロット圧力が低下する。
【００２８】
電空レギュレータ１は、周知のマイクロコンピュータからなる制御手段３３により動作を制御される。本実施形態の制御手段３３は、応答時間が異なる応答時間設定パターンを記憶するメモリ（記憶手段の一例）を含む。制御手段３３は、コネクタ３、第１及び第２操作キー４，５、第１及び第２表示ランプ６，７、圧力センサ２９、給気側電磁弁３１、排気側電磁弁３２に電気制御可能に接続されている。
【００２９】
このような電空レギュレータ１は、一次側ポート１１と二次側ポート１２と排気ポート１３に配管が接続され、コネクタ３に外部装置を接続することで、装置に組み付けられる。
【００３０】
次に、レギュレータ１の作用効果を図４を参照して説明する。制御手段３３は、第１及び第２表示ランプ６，７の発光色、点灯の仕方（連続点灯の有無、点滅の有無、点滅周期の長さ）により、第１及び第２表示ランプ６，７に複数の表示パターンの点灯をさせる。そして、制御手段３３は、第１及び第２操作キー４，５の操作内容に応じて第１及び第２表示ランプ６，７の表示パターンを制御し、第１及び第２表示ランプ６，７の表示パターンの組合せにより、電空レギュレータ１の動作状態を通知する。
【００３１】
ここで、図４では、緑色に点灯する第１及び第２表示ランプ６，７に斜線のハッチングを入れ、赤色に点灯する第１及び第２表示ランプ６，７を塗りつぶしにより示している。また、図４では、第１及び第２表示ランプ６，７の周りに記載する放射線状の線により、第１及び第２表示ランプ６，７が点滅していることを示している。本実施形態では、短い周期で速く点滅する第１点滅パターンと、長い周期でゆっくり点滅する第２点滅パターンの２種類を有し、図面上では、第１点灯パターンを６本の放射線状の線で表し、第２点滅パターンを４本の放射線状の線で表している。一方、放射線状の線がない第１及び第２表示ランプ６，７は、連続点灯する連続点灯パターンで点灯していることを表す。更に、図４では、白抜きの第１及び第２操作キー４，５は、通常のボタン押し操作を示し、黒で塗りつぶした第１及び第２操作キー４，５は、通常のボタン押し操作より長時間押下される長押し操作を示し、点線で示す第１及び第２操作キー４，５は、押下が解除されることを示す。
【００３２】
電空レギュレータ１は、電源投入後（ステップ１（以下「Ｓ１」とする。）、通常動作（Ｓ２）又は初期設定動作（Ｓ３）を行う。通常動作には、調圧動作（Ｓ４）と、機能設定動作（Ｓ５）が含まれる。更に、機能設定動作（Ｓ５）には、ゼロ点調整機能（Ｓ６）の設定動作と、スパン点調整機能（Ｓ７）の設定動作と、応答時間選択機能（Ｓ８）の設定動作が含まれる。
【００３３】
電空レギュレータ１は、Ｓ１において、電源が投入されると、制御手段３３がコネクタ３を介して電源電圧を印加されて起動する。制御手段３３は、Ｓ２において、通常動作を実行する。通常動作では、制御手段３３は、第１及び第２表示ランプ６，７に緑色の連続点灯パターンの点灯をさせる。これにより、電空レギュレータ１が起動したことが判別できる。
【００３４】
工場出荷時や装置組み付け後に初期設定する場合には（Ｓ３）、第１及び第２操作キー４，５が同時に長押しされる。この場合、制御手段３３は、第１及び第２表示ランプ６，７を赤色の第２点滅パターンで点灯させ、初期設定動作中であることを通知する。制御手段３３は、第１及び第２操作キー４，５が押された状態で初期設定時間（例えば５ｓｅｃ）が経過すると、第１及び第２表示ランプ６，７に赤色の連続点灯パターンの点灯をさせ、初期設定が完了したことを通知する。第１及び第２操作キー４，５の押下が初期設定時間経過後に解除されると、制御手段３３は、Ｓ２に戻って、通常動作を行う。これに対して、初期設定時間が経過する前に第１及び第２操作キー４，５の押下が解除されると、制御手段３３は、初期設定を行わない。この場合、制御手段３３は、第１及び第２表示ランプ３３に赤色の連続点灯パターンの点灯をさせずに、Ｓ２に戻って通常動作を行う。よって、ユーザは、第１及び第２表示ランプ６，７が緑色か赤色のどちらで点灯しているかによって、電空レギュレータ１が通常動作しているか、初期設定動作しているかを判別できる。また、第１及び第２表示ランプ６，７が連続点灯パターンと第２点滅パターンのどちらで点灯しているかにより、初期設定が完了したか否かを判別できる。
【００３５】
一方、電空レギュレータ１に調圧動作を行わせる場合には（Ｓ４）、コネクタ３に入力信号を入力する。すると、制御手段３３は、圧力センサ２９の圧力検出値が設定制御圧力に一致するように、給気側電磁弁３１と排気側電磁弁３２の動作を制御する。これにより、一次側ポート１１に供給された流体が、ブースタ１４により圧力を設定制御圧力に制御され、二次側ポート１２から出力される。ここで、設定制御圧力は、外部装置からコネクタ３を介して制御手段３３に入力したものであっても良いし、制御手段３３に記憶されているものであっても良い。この調圧時に、制御手段３３は、入力信号に対して出力圧力が調圧範囲外であると判断した場合には、第１表示ランプ６に緑色の連続点灯パターンの点灯をさせる一方、第２表示ランプ７に赤色の連続点灯パターンの点灯をさせ、調圧に異常があることを通知する。一方、制御手段３３は、入力信号に対して出力圧力が調圧範囲内であると判断した場合には、第１及び第２表示ランプ６，７に緑色の連続点灯パターンの点灯をさせ、調圧が正常に行われていることを通知する。よって、ユーザは、連続点灯する第１及び第２表示ランプ６，７の発光色の組合せから調圧が正常に行われているか否かを判別できる。
【００３６】
ところで、電空レギュレータ１は、圧力制御精度を維持するための機能を有する。制御手段３３は、Ｓ２の通常動作後、第１操作キー４だけが長押しされると、Ｓ５に示す機能設定動作に入る。本実施形態では、電空レギュレータ１は、ゼロ点調整機能（Ｓ６）の設定動作とスパン点調整機能（Ｓ７）の設定動作と応答時間選択機能（Ｓ８）の設定動作を有する。制御手段３３は、第１操作キー４の長押しを維持しながら、第２操作キー５を押下していくと、設定される機能をゼロ点調整機能とスパン点調整機能と応答時間選択機能に順次移行させる。設定される機能は、第１操作キー４の押下を解除した時点のものが選択される。制御手段３３は、ゼロ点調整機能の設定が選択されると（Ｓ６）、第１表示ランプ６に赤色の連続点灯パターンの点灯をさせ、第２表示ランプ７に緑色の第２点滅パターンの点灯をさせる。また、制御手段３３は、スパン点調整機能の設定が選択されると（Ｓ７）、第１表示ランプ６に赤色の連続点灯パターンの点灯をさせ、第２表示ランプ７に赤色の第２点滅パターンの点灯をさせる。更に、制御手段３３は、応答時間選択機能の設定が選択されると（Ｓ８）、第１表示ランプ６に赤色の第２点滅パターンの点灯をさせ、第２表示ランプ７に緑色の連続点灯パターンの点灯をさせる。よって、ユーザは、第１及び第２表示ランプ６，７の表示パターンの組合せにより、ゼロ点調整機能の設定とスパン点調整機能の設定と応答時間選択機能の設定の何れか選択されているかを判別できる。
【００３７】
そして、制御手段３３は、ゼロ点調整機能の設定が選択された状態で（Ｓ６）第１及び第２操作キー４，５が押されると、ゼロ点が移動される。ここで、ゼロ点とは、制御可能な圧力の最下限値をいう。また、スパン点調整機能の設定が選択された状態で（Ｓ７）第１及び第２操作キー４，５が押されると、スパン点が移動される。ここで、スパン点とは、制御可能な圧力の上限値をいう。制御手段３３は、第１及び第２操作キー４，５が同時に長押しされると、Ｓ５の機能設定動作を終了し、Ｓ２の通常動作に戻る。
【００３８】
また、制御手段３３は、応答時間選択機能の設定が選択された状態で（Ｓ８）第１又は第２操作キー４，５が押されるのに従って、応答時間設定パターンを順次選択する。ここで、応答時間とは、入力信号を入力してから出力圧力が設定制御圧力に到達するまでの時間をいう。ここでいう「到達」は、出力圧力が設定制御圧力の許容範囲内（例えば±５％以内）に収まることをいう。本実施形態では、制御手段３３は、第１応答時間に設定する第１応答時間設定パターンと、第１応答時間より長い第２応答時間に設定する第２応答時間設定パターンと、第２応答時間より長い第３応答時間に設定する第３応答時間設定パターンを記憶している。制御手段３３は、第１又は第２操作キー４，５が押されると、第１〜第３応答時間設定パターンを順番に選択する。
【００３９】
制御手段３３は、第１応答時間設定パターンが選択されている場合には、第１表示ランプ６に赤色の第２点滅パターンの点灯をさせ、第２表示ランプ７に緑色の連続点灯パターンの点灯をさせる。また、制御手段３３は、第２応答時間設定パターンが選択されている場合には、第１表示ランプ６に赤色の第２点滅パターンの点灯をさせ、第２表示ランプ７に緑色の第１点滅パターンの点灯をさせる。更に、制御手段３３は、第３応答時間設定パターンが選択されている場合には、第１表示ランプ６に赤色の第２点滅パターンの点灯をさせ、第２表示ランプ７に緑色の第２点滅パターンの点灯をさせる。よって、ユーザは、第１表示ランプ６が赤色の第２点滅パターンで点灯していることにより、応答時間選択機能が選択されていることを判別でき、また、第２表示ランプ７が何色で点滅又は連続点灯しているかにより、第１〜第３応答時間設定パターンの何れが選択されているかを判別できる。
【００４０】
制御手段３３は、第１及び第２操作キー４，５が同時に長押しされると、Ｓ８の応答時間選択機能の設定動作を終了し、Ｓ２の通常動作に戻る。
尚、第１操作キー４がタイムアウト時間（例えば１５ｓｅｃ）が経過するまで押され続けた場合、すなわち、タイムアウト時間内に設定される機能が選択されない場合には、制御手段３３は、機能設定動作（Ｓ５）を終了して、通常動作に戻る。
【００４１】
上記電空レギュレータ１は、操作キーが第１及び第２操作キー４，５の２つなので、操作キーを３つ設ける場合と比べ、第１及び第２操作キー４，５の間隔が広い。そのため、ユーザは、第１及び第２操作キー４，５を指で押しやすく、動作設定や機能設定を行いやすい。そして、上記電空レギュレータ１は、制御手段３３が、第１及び第２操作キー４，５の操作内容に応じて、第１及び第２表示ランプ６，７の表示パターンを制御し、その表示パターンの組合せにより電空レギュレータ１の動作を通知するので、７セグメントＬＥＤより安価な第１及び第２表示ランプ６，７の表示パターンで電空レギュレータ１の複雑な動作状態をユーザに知らせることが可能である。よって、上記電空レギュレータ１によれば、動作や機能を設定しやすく、また、安価にできる。
【００４２】
特に、電空レギュレータ１は、第１及び第２表示ランプ６，７の表示パターンを、赤色と緑色の発光色や、第１点滅パターンと第２点滅パターンの点滅周期の長短、連続点灯パターンの有無により変え、それらの表示パターンを組み合わせることで、通常動作設定（Ｓ２）、初期設定動作（Ｓ３）、調圧動作（Ｓ４）、機能設定動作（Ｓ５）、ゼロ点調整機能（Ｓ６）の設定動作、スパン点調整機能（Ｓ７）の設定動作、応答時間選択機能（Ｓ８）の設定動作の何れが行われているかを通知する。よって、上記電空レギュレータ１によれば、多数の動作状態を安価な第１及び第２表示ランプ６，７だけで区別可能に表示することができる。
【００４３】
ところで、応答時間は、電空レギュレータの前後に取り付けられる流体制御弁等の流体機器の動作特性や、流体特性（粘性等）、電空レギュレータに流れる流量等の外部要因によって変動する。よって、外部要因に応じて応答時間を設定することが望ましい。例えば、外部要因によりオーバーシュートが大きい傾向である場合には、応答時間を長く設定してオーバーシュートを抑制することが好ましく、逆に、オーバーシュートが小さい傾向である場合には、応答時間を短く設定してサイクルタイムの短縮を図ることが好ましい。
【００４４】
このような場合に対し、電空レギュレータ１は、応答時間が異なる第１〜第３応答時間設定パターンを制御手段３３のメモリに記憶しており、制御手段３３が、第１及び第２操作キー４，５により選択された応答時間設定パターンに応じて第１及び第２表示ランプ６，７の表示パターンを変更するので、ユーザは第１及び第２表示ランプ６，７の表示パターンから第１〜第３応答時間設定パターンのうちのどれが選択されているか認識できる。そして、電空レギュレータ１は、第１及び第２操作キー４，５で設定された応答時間設定パターンに応じて応答時間を変更するので、外部要因に合わせて応答時間を任意に設定できる。よって、上記電空レギュレータ１によれば、出力圧力を設定制御圧力に精度良く調整することができる。
【００４５】
ここで、電空レギュレータ１は、一次側ポート１１に供給された流体の圧力を無段階で調整するので、例えば、ダイアフラム２６や弁体１７，２０が劣化したり、弁座１９，２２が変形したりする。このように電空レギュレータ１が経年劣化を生じると、入力信号に対する給気側弁部１５と排気側弁部１６の弁開度に誤差が生じ、出力圧力が調圧可能範囲外になることがある。
【００４６】
これに対し、電空レギュレータ１は、圧力検出手段が検出した圧力検出値を７セグメントＬＥＤ等により直接表示できないものの、圧力検出値をコネクタを介して外部装置に送信し、外部装置に圧力検出値を表示させることができる。ユーザは、設定制御圧力をゼロにした状態でゼロ点調整機能（Ｓ６）の設定動作を選択した後、外部装置に表示される圧力検出値を見ながら第１及び第２操作キー４，５を操作すれば、ゼロ点を変動させることが可能である。また、ユーザは、設定制御圧力を最大制御圧力にした状態でスパン点調整機能（Ｓ７）の設定動作を選択した後、外部装置に表示される圧力検出値を見ながら第１及び第２操作キー４，５を操作すれば、スパン点を変動させることが可能である。よって、上記電空レギュレータ１よれば、経年劣化しても、ゼロ点又はスパン点を補正することで、出力圧力の調整精度を維持することができる。
【００４７】
また、上記電空レギュレータ１は、第１及び第２操作キー４，５と第１及び第２表示ランプ６，７を上面２ａに設けているので、集積度の高い装置に組み付けられた場合でも、第１及び第２表示ランプ６，７の表示パターンを確認しながら第１及び第２操作キー４，５を操作しやすい。
【００４８】
尚、本発明は、上記実施形態に限定されることなく、色々な応用が可能である。
（１）第１及び第２操作キー４，５と表示ランプ６，７は、ケース２の側面に設けても良い。
（２）ブースタ１４は、必ずしも備える必要はない。
（３）第１及び第２表示ランプ６，７の表示パターンの組合せにより、ゼロ点調整機能、スパン点調整機能、応答時間選択機能の他の機能を表示させるようにしても良い。
（４）第１及び第２表示ランプ６，７は、３色以上に発光するものであっても良い。
（５）第１及び第２表示ランプ６，７の発光色は、赤色と緑色以外であっても良い。
（６）点滅周期が異なる３以上の点滅パターンで第１及び第２表示ランプ６，７を点滅させるようにしても良い。
（７）上記実施形態では、第１〜第３応答時間設定パターンを制御手段３３のメモリに記憶させた。これに対して、外部装置に第１〜第３応答時間設定パターンを記憶させ、電源投入後に、外部装置からコネクタ３を介して制御手段３３に第１〜第３応答時間設定パターンを入力して操作キー４，５で選択できるようにしても良い。また別案として、外部装置に複数の応答時間設定パターンを記憶させてユーザに外部装置上で応答時間設定パターンを数個選択させ、選択された応答時間設定パターンを外部装置からコネクタ３を介して制御手段３３に入力して選択させるようにしても良い。この場合、応答時間設定パターンを詳細に設定してユーザの利便性を図ることができる。更に別案として、外部装置に複数の応答時間設定パターンを記憶させて、外部装置上でユーザに応答時間設定パターンを１つ選択させ、選択された応答時間設定パターンのみを制御手段３３に記憶させるようにしても良い。この場合、制御手段３３のメモリ容量を小さくしてコストダウンを図ることができる。
（８）第１〜第３応答時間パターンは、制御手段３３と別個に設けた記憶手段に記憶させても良い。
【符号の説明】
【００４９】
１  電空レギュレータ
３  コネクタ
４，５  第１及び第２操作キー
６，７  第１及び第２表示ランプ
３３  制御手段
Ｓ２  通常動作
Ｓ３  初期設定動作
Ｓ４  調圧動作
Ｓ５  機能設定動作
Ｓ６  ゼロ点調整機能
Ｓ７  スパン点調整機能
Ｓ８  応答時間選択機能
【図１】
0006029566.tif 000002
【図２】
0006029566.tif 000003
【図３】
0006029566.tif 000004
【図４】
0006029566.tif 000005